(57)【要約】      （修正有）【課題】従来の組み立て式で重量のある鋼製型枠を解消し、組み立てや清掃作業を必要としない、樹脂による成型手段により形成された使い捨て可能な軽量化した型枠を提供する。【解決手段】コンクリート強度試験用供試体を形成するための箱型の型枠１であって、合成樹脂で側面及び底面が一体成型の箱型に形成され、箱型の上面外周部に所要幅のフランジ部５が形成されると共に、側面及び底面の外周部分には複数条のリブが所要間隔をもって連続的に形成されている構成である、型枠１。【選択図】図５
2020101500.tif 000002
【特許請求の範囲】
【請求項１】
コンクリート強度試験用供試体を形成するための箱型の型枠であって、
合成樹脂で側面及び底面が一体成型の箱型に形成され、
前記箱型の上面外周部に所要幅のフランジ部が形成されると共に、前記側面及び底面の外周部分には複数条のリブが所要間隔をもって連続的に形成されていること
を特徴とするコンクリート強度試験供試体用の軽量化した型枠。
【請求項２】
前記合成樹脂は、剥離性が良い高密度のポリエチレン樹脂またはポリプロピレン樹脂であること
を特徴とする請求項１に記載のコンクリート強度試験供試体用の軽量化した型枠。
【請求項３】
前記箱型外側四隅コーナ部に、Ｖ字状の切込み溝を設けてあること
を特徴とする請求項１乃至２のいずれかに記載のコンクリート強度試験供試体用の軽量化した型枠。
【発明の詳細な説明】
【技術分野】
【０００１】
本発明は、コンクリートの圧縮強度試験や曲げ強度試験及び長さ変形試験用供試体を形成するための軽量化した型枠に関するものである。
【背景技術】
【０００２】
この種の型枠として、複数の施設が公知技術として知られている。例えば、第１の公知技術としては、筒状の上部枠と下部枠とを両枠の間に型枠の外形と略同一の外形を有するドーナツ板を挟持して一体化し、上部枠の上端及び下部枠の下端に上蓋及び下蓋を固定すると共に各蓋にインサートを支持してなる型枠であって、上蓋は型枠と同形の側枠と、中央にインサートに設けた螺子孔と連通する案内孔を有する支持板と、側枠と支持板で囲まれたコンクリートを注入する開口部を形成し、下蓋は型枠と同形の側板と、中央にインサートに設けた螺子孔と連通する案内孔を有する下面板からなり、この上蓋及び下蓋には案内孔を通したボルトをインサートに設けた螺子孔に螺合してインサートを固定してなることを特徴とするコンクリート強度試験用供試体の製造用型枠、である（特許文献１）。
【０００３】
この第１の公知技術に係る供試体の製造用型枠によれば、どの強度性状試験にも適用でき、即ち、同一形状の試験体を用いて簡便に試験が可能となり、標準試験方法に代わる試験法を提供できる、というものである。
【０００４】
第２の公知技術としては、底板と、前記底板上に立設される２枚の側板と、前記底板上に立設された２枚の前記側板の間に立設される２枚の端板と、を備え、上方が開口した直方体状に組立固定されるコンクリートの曲げ強度試験用供試体型枠であって、前記側板および前記端板は、前記側板と前記端板とを貫通して連結する連結部材を介して締め付けて構成されることを特徴とするコンクリートの曲げ強度試験用供試体型枠、である（特許文献２）。
【０００５】
この第２の公知技術に係る供試体型枠によれば、日本工業規格：ＪＩＳ  Ａ  １１３２に規定されている許容寸法に簡単に組み立てることができる、というものである。
【先行技術文献】
【特許文献】
【０００６】
【特許文献１】特開２００８−１２８８５３号の公開公報
【特許文献２】特開２０１７−１４２１０８号の公開公報
【発明の概要】
【発明が解決しようとする課題】
【０００７】
前記第１の公知技術の発明においては、前記第２の公知技術に記載されているように、組み立てが煩雑であり、重量が重く、人手による組み立て作業が大変であると共に、日本工業規格に基づくコンクリート強度試験法とは異なる試験法用であり、日本工業規格に基づく試験結果を得ることができないという問題点（課題）を有している。
【０００８】
また、前記第２の公知技術の発明においても、前記第１の公知技術の発明と同様に、鋼製の部品点数が多く、組み立てが煩雑であると共に、鋼製型枠は重量が重く、人手による組み立て作業が大変で、作業の手間やコストが掛るばかりでなく、脱型後においても、再利用する必要があるため、使用後は型枠清掃が必要となり、さらに、清掃作業の手間やコストが掛るという問題点（課題）を有している。
【０００９】
本発明は、前記課題を解決するために、組み立てや清掃作業を必要としない、樹脂による成型手段により形成された使い捨て可能な軽量化した型枠を提供することを目的とするものである。
【課題を解決するための手段】
【００１０】
本発明は前述の課題を解決する具体的手段として、コンクリート強度試験用供試体を形成するための箱型の型枠であって、合成樹脂で側面及び底面が一体成型の箱型に形成され、前記箱型の上面外周部に所要幅のフランジ部が形成されると共に、前記側面及び底面の外周部分には複数条のリブが所要間隔をもって連続的に形成されていることを特徴とするコンクリート強度試験供試体用の軽量化した型枠を提供するものである。
【００１１】
上記発明において、前記合成樹脂は、剥離性が良い高密度のポリエチレン樹脂またはポリプロピレン樹脂であること；および前記箱型の外側四隅コーナ部に、Ｖ字状の切込み溝を設けてあること；を付加的要件として含むものである。
【発明の効果】
【００１２】
本発明に係るコンクリート強度試験供試体用の軽量化した型枠によれば、樹脂による一体成型品であるため、従来の鋼製型枠のような組立作業が不要であると共に、鋼製型枠のような隙間がないのでコンクリートの漏れが生じないばかりでなく、軽量であって持ち運びが容易で、作業性が良く大幅なコストダウンが図れるという優れた効果を奏する。
さらに、剥離性の良い樹脂で形成され、外側四隅コーナ部にＶ字状の切込み溝を設けてあることにより、離型作業が容易であると共に、使い捨てで廃棄しても、ポリエチレン樹脂またはポリプロピレン樹脂という環境にやさしい製品であるという優れた効果も奏する。
【図面の簡単な説明】
【００１３】
【図１】本発明の実施の形態に係るコンクリート強度試験供試体用の軽量化した型枠の平面図である。
【図２】同軽量化した型枠の長辺側の側面図である。
【図３】同軽量化した型枠の短辺側の側面図である。
【図４】同軽量化した型枠の底面図である。
【図５】同軽量化した型枠の上面側から見た斜視図である。
【図６】同軽量化した型枠の底面側から見た斜視図である。
【図７】（ａ）、（ｂ）は、同軽量化した型枠における外側四隅コーナ部に設けられた引き剥せる一対のＶ字状の切込み溝の短部側をそれぞれ拡大して示した説明図である。
【発明を実施するための形態】
【００１４】
本発明を図示の実施の形態に基づいて詳しく説明する。
まず、好ましい一実施例を示した図１〜４について説明すると、コンクリート強度試験用供試体を形成するための長方形の箱型の型枠１であって、例えば、材料として好ましくは剥離性が良く、高密度のポリエチレン樹脂またはポリプロピレン樹脂等の合成樹脂を使用し、上面に開口部２を形成し、少なくとも肉厚が３ｍｍ程度の側面３（長辺側３ａ、短辺側３ｂ）及び底面４が一体成型された長方形の箱型に形成される。
【００１５】
また、前記箱型の型枠１の全体の剛性（強度）を向上させるために、上面外周部に所要幅のフランジ部５が一体に成型（形成）されると共に、前記側面３及び底面４の外周表面には所要幅で所要高さの複数条のリブ６が所要間隔をもって連続させて一体的にそれぞれ成型（形成）される。この場合に、箱型の一方の側面３から対抗する他方の側面３まで、底面４の外周表面を通して連続させて形成する。
【００１６】
この場合、対抗する他方の側面というのは、要するに、長辺側３ａの場合は対抗する他方の長辺側３ａまで、短辺側３ｂの場合は対抗する他方の端辺側３ｂまでのことであり、それぞれ底面４の外周表面を通して連続させて形成するので、箱型の長辺側３ａに設けられるリブ６ａと短辺側３ｂに設けられるリブ６ｂとが、図４に示したように、底面４の外周表面においては、クロスする状態で一体的に成型（形成）されることになり、コンクリート打設時に重量を支える底面４の強度・剛性が大幅に増強される。なお、箱型の型枠１においては、表現していないが、底面４よりも開口部２側が僅かに広くなるように、側面３（３ａ、３ｂ）に僅かな型抜き勾配とも言うべきテーパーを付けて形成してある。
【００１７】
さらに、図５〜６前記箱型外側四隅コーナ部の側面３ａ、３ｂからフランジ部５に掛けて、打設して硬化したコンクリートを容易に脱型できるように、一対のＶ字状の切込み溝７、８を近接して設けて四隅を引き剥せるように形成し、各切込み溝７、８の各端部は、ある程度の強度を維持するために、図７（ａ）（ｂ）に示したように、浅くなるように形成される。なお、各四隅の引き剥し作業の際に、手助けとなる鉤状の治具が差し込める小孔９をフランジ部５に設けてある。なお、前記実施例に係る箱型の型枠１おいて、使用される材料として、剥離性の良いリサイクル樹脂でなくても使用可能である。
【００１８】
また、前記実施例における箱型の型枠１は、軽量でありながらコンクリートの打ち込みや締固め、および運搬などの作業によっても変形せず、予定した寸法の供試体が精度よく形成できるのである。前記箱型の型枠１については、供試体が長方形とは限らないので、例えば、縦・横・長さが１０×１０×１０ｃｍ、１０×１０×４０ｃｍや、１５×１５×５３ｃｍ用の型枠を軽量化することである。
【産業上の利用可能性】
【００１９】
本発明に係るコンクリート強度試験用供試体を形成するための箱型の型枠１であって、合成樹脂で側面３及び底面４が一体成型の箱型に形成され、前記箱型の上面外周部に所要幅のフランジ部５が形成されると共に、前記側面３及び底面４の外周部分には複数条のリブ６が所要間隔をもって連続的に形成されている構成であることから、型枠１としての剛性（強度）に優れると共に、従来の鋼製型枠のような組立作業が不要であると共に、鋼製型枠のような隙間がないのでコンクリートの漏れが生じないばかりでなく、軽量であって持ち運びが容易で、作業性が良く大幅なコストダウンが図れるので、この種の業界における供試体の作成に広く使用可能である。
【符号の説明】
【００２０】
１  型枠
２  開口部
３  側面
３ａ  長辺側
３ｂ  短辺側
４  底面
５  フランジ部
６  リブ
６ａ  長辺側に設けられたリブ
６ｂ  短辺側に設けられたリブ
７、８  一対のＶ字状の切込み溝  
９  小孔
【図１】
2020101500.tif 000003
【図２】
2020101500.tif 000004
【図３】
2020101500.tif 000005
【図４】
2020101500.tif 000006
【図５】
2020101500.tif 000007
【図６】
2020101500.tif 000008
【図７】
2020101500.tif 000009